(57)【要約】【課題】ドアホン子器との通話と一斉放送の何れを優先するかを居住者が選択可能とする。【解決手段】住戸機２には、ＣＰＵを主構成要素とし内部回路を制御する主制御部１０が設けられ、主制御部１０には通話釦などを有する操作部１９が接続される。従って、ドアホン子器６との通話中に一斉放送が開始された場合にドアホン子器６との通話を継続するか若しくは一斉放送の受信に切り換えるかを、操作部１９の通話釦の操作／不操作によって居住者が選択できる。同様に一斉放送の受信中にドアホン子器６からの呼出があった場合に一斉放送の受信を継続するか若しくはドアホン子器６との通話に切り換えるかを、操作部１９の通話釦の操作／不操作によって居住者が選択できる。【選択図】        図１
2006304222.tif 000002
【特許請求の範囲】
【請求項１】
集合住宅の共用玄関に設置され音声の入出力が可能な共用部装置と、集合住宅の各住戸にそれぞれ設置され共用部装置とは伝送線路を介して接続されるとともに共用部装置が有する選択手段を来訪者が操作することにより選択されると共用部装置との間で通信路を確立する複数台の住戸機と、集合住宅の各住戸にそれぞれ設置され住戸機とは通話用の子器接続線を介して接続されるドアホン子器と、集合住宅の共用部若しくは管理人室に設置され各住戸機とは伝送線路を介して接続されるとともに一部又は全部の住戸機に対して一斉に音声を放送する一斉放送装置とを備え、
伝送線路は、少なくとも選択手段の操作に伴って発生し個別通話の開始を指示する制御信号を伝送する制御線と、音声信号を伝送する信号線とからなり、
住戸機は、共用部装置並びにドアホン子器との間で各々信号線及び子器接続線を介した通話を行う通話手段と、少なくとも一斉放送の音声を鳴動するスピーカと、信号線を通話手段に接続する状態とスピーカに接続する状態とを択一的に切り換える個別通話／一斉放送切換手段と、通話手段を個別通話／一斉放送切換手段に接続する状態と子器接続線に接続する状態とを択一的に切り換える通話路切換手段と、制御線を介して伝送される制御信号に基づいて個別通話／一斉放送切換手段並びに通話切換手段を制御する制御手段と、ドアホン子器との通話と一斉放送の何れを優先するかを選択する通話／一斉放送選択手段とを備え、
各住戸機の制御手段は、一斉放送開始を指示する制御信号を受信した場合、ドアホン子器との通話中でなければ通話路切換手段を制御して通話手段を個別通話／一斉放送切換手段に接続する状態に切り換えるとともに個別通話／一斉放送切換手段を制御して信号線をスピーカに接続する状態に切り換え、ドアホン子器との通話中であれば通話／一斉放送選択手段で一斉放送が選択された場合に通話路切換手段を制御して通話手段を個別通話／一斉放送切換手段に接続する状態に切り換えるとともに個別通話／一斉放送切換手段を制御して信号線をスピーカに接続する状態に切り換えることを特徴とする集合住宅用インターホンシステム。
【請求項２】
ドアホン子器は、子器接続線を介して住戸機に呼出信号を送信し、
住戸機の制御手段は、ドアホン子器から呼出信号を受信した場合、一斉放送の受信中でなければ通話路切換手段を制御して通話手段を子器接続線に接続する状態に切り換え、一斉放送の受信中であれば通話／一斉放送選択手段で通話が選択された場合に通話路切換手段を制御して通話手段を子器接続線に接続する状態に切り換えることを特徴とする請求項１記載の集合住宅用インターホンシステム。
【請求項３】
住戸機は、一斉放送の音声を録音する録音手段と、録音手段に録音された一斉放送の音声を再生してスピーカから送出する再生手段とを備え、住戸機の制御手段は、通話／一斉放送選択手段で通話が選択された場合に一斉放送の音声を録音手段に録音させることを特徴とする請求項１又は２記載の集合住宅用インターホンシステム。
【請求項４】
各住戸に設置されるとともに当該住戸の住戸機と伝送線を介して接続され且つ一斉放送装置で放送された音声が住戸機から伝送線を介して伝送されるとともに伝送された一斉放送の音声を拡声出力する音響装置を備え、
住戸機の制御手段は、通話／一斉放送選択手段で通話が選択された場合に一斉放送の音声を伝送線を介して音響装置に伝送することを特徴とする請求項１又は２記載の集合住宅用インターホンシステム。
【請求項５】
住戸機は、報知音を生成する報知音生成手段を備え、
住戸機の制御手段は、通話／一斉放送選択手段で一斉放送が選択された場合に報知音生成手段で生成した報知音を子器接続線を介してドアホン子器に伝送することを特徴とする請求項１又は２記載の集合住宅用インターホンシステム。
【請求項６】
ドアホン子器は、来訪者を撮像する撮像手段と、撮像手段で撮像した映像を住戸機に伝送する映像伝送手段とを備え、
住戸機は、ドアホン子器から伝送される映像を表示する表示手段を備え、住戸機の制御手段は、通話／一斉放送選択手段で一斉放送が選択された場合にドアホン子器から伝送される映像を表示手段に表示させることを特徴とする請求項１又は２記載の集合住宅用インターホンシステム。
【発明の詳細な説明】
【技術分野】
【０００１】
本発明は、集合住宅の共用玄関に設置された共用部装置と各住戸にそれぞれ設置される住戸機の何れか１台との間で択一的に通信路を確立して通話可能とする集合住宅用インターホンシステムに関し、特に共用部装置と１台の住戸機とで通話する個別通話の他に、集合住宅の玄関に設置されたドアホン子器と住戸機とによる通話、並びに集合住宅の共用部や管理人室などに設置された一斉放送装置により複数の住戸機へ音声を一斉に放送することができる集合住宅用インターホンシステムに関するものである。
【背景技術】
【０００２】
従来、集合住宅の共用玄関に設置され音声の入出力が可能な共用部装置（ロビーインターホン）と、集合住宅の各住戸にそれぞれ設置され共用部装置とは伝送線路を介して接続されるとともに共用部装置が有する選択手段（テンキーなど）を来訪者が操作することにより選択されると共用部装置との間で通信路を確立する複数台の住戸機（インターホン親機や住宅情報盤など）と、集合住宅の各住戸にそれぞれ設置され住戸機とは通話用の子器接続線を介して接続されるドアホン子器と、集合住宅の共用部若しくは管理人室に設置され各住戸機とは伝送線路を介して接続されるとともに一部又は全部の住戸機に対して一斉に音声を放送する一斉放送装置とを備えた集合住宅用インターホンシステムが提供されている（例えば、特許文献１参照）。
【特許文献１】特開平６−１４１２５号公報
【発明の開示】
【発明が解決しようとする課題】
【０００３】
ところで、ドアホン子器との通話中に一斉放送が開始された場合若しくは一斉放送の受信中にドアホン子器から呼出を受けた場合、一斉放送が災害発生時の避難放送のように緊急な内容であれば一斉放送を優先して住戸機とドアホン子器との通話を行わないべきであるが、一斉放送が緊急でない単なる連絡事項であれば無条件に一斉放送を優先することは居住者にとって好ましくない。
【０００４】
本発明は上記事情に鑑みて為されたものであり、その目的は、ドアホン子器との通話と一斉放送の何れを優先するかを居住者が選択できる集合住宅用インターホンシステムを提供することにある。
【課題を解決するための手段】
【０００５】
請求項１の発明は、上記目的を達成するために、集合住宅の共用玄関に設置され音声の入出力が可能な共用部装置と、集合住宅の各住戸にそれぞれ設置され共用部装置とは伝送線路を介して接続されるとともに共用部装置が有する選択手段を来訪者が操作することにより選択されると共用部装置との間で通信路を確立する複数台の住戸機と、集合住宅の各住戸にそれぞれ設置され住戸機とは通話用の子器接続線を介して接続されるドアホン子器と、集合住宅の共用部若しくは管理人室に設置され各住戸機とは伝送線路を介して接続されるとともに一部又は全部の住戸機に対して一斉に音声を放送する一斉放送装置とを備え、伝送線路は、少なくとも選択手段の操作に伴って発生し個別通話の開始を指示する制御信号を伝送する制御線と、音声信号を伝送する信号線とからなり、住戸機は、共用部装置並びにドアホン子器との間で各々信号線及び子器接続線を介した通話を行う通話手段と、少なくとも一斉放送の音声を鳴動するスピーカと、信号線を通話手段に接続する状態とスピーカに接続する状態とを択一的に切り換える個別通話／一斉放送切換手段と、通話手段を個別通話／一斉放送切換手段に接続する状態と子器接続線に接続する状態とを択一的に切り換える通話路切換手段と、制御線を介して伝送される制御信号に基づいて個別通話／一斉放送切換手段並びに通話切換手段を制御する制御手段と、ドアホン子器との通話と一斉放送の何れを優先するかを選択する通話／一斉放送選択手段とを備え、各住戸機の制御手段は、一斉放送開始を指示する制御信号を受信した場合、ドアホン子器との通話中でなければ通話路切換手段を制御して通話手段を個別通話／一斉放送切換手段に接続する状態に切り換えるとともに個別通話／一斉放送切換手段を制御して信号線をスピーカに接続する状態に切り換え、ドアホン子器との通話中であれば通話／一斉放送選択手段で一斉放送が選択された場合に通話路切換手段を制御して通話手段を個別通話／一斉放送切換手段に接続する状態に切り換えるとともに個別通話／一斉放送切換手段を制御して信号線をスピーカに接続する状態に切り換えることを特徴とする。
【０００６】
請求項２の発明は、請求項１の発明において、ドアホン子器は、子器接続線を介して住戸機に呼出信号を送信し、住戸機の制御手段は、ドアホン子器から呼出信号を受信した場合、一斉放送の受信中でなければ通話路切換手段を制御して通話手段を子器接続線に接続する状態に切り換え、一斉放送の受信中であれば通話／一斉放送選択手段で通話が選択された場合に通話路切換手段を制御して通話手段を子器接続線に接続する状態に切り換えることを特徴とする。
【０００７】
請求項３の発明は、請求項１又は２の発明において、住戸機は、一斉放送の音声を録音する録音手段と、録音手段に録音された一斉放送の音声を再生してスピーカから送出する再生手段とを備え、住戸機の制御手段は、通話／一斉放送選択手段で通話が選択された場合に一斉放送の音声を録音手段に録音させることを特徴とする。
【０００８】
請求項４の発明は、請求項１又は２の発明において、各住戸に設置されるとともに当該住戸の住戸機と伝送線を介して接続され且つ一斉放送装置で放送された音声が住戸機から伝送線を介して伝送されるとともに伝送された一斉放送の音声を拡声出力する音響装置を備え、住戸機の制御手段は、通話／一斉放送選択手段で通話が選択された場合に一斉放送の音声を伝送線を介して音響装置に伝送することを特徴とする。
【０００９】
請求項５の発明は、請求項１又は２の発明において、住戸機は、報知音を生成する報知音生成手段を備え、住戸機の制御手段は、通話／一斉放送選択手段で一斉放送が選択された場合に報知音生成手段で生成した報知音を子器接続線を介してドアホン子器に伝送することを特徴とする。
【００１０】
請求項６の発明は、請求項１又は２の発明において、ドアホン子器は、来訪者を撮像する撮像手段と、撮像手段で撮像した映像を住戸機に伝送する映像伝送手段とを備え、住戸機は、ドアホン子器から伝送される映像を表示する表示手段を備え、住戸機の制御手段は、通話／一斉放送選択手段で一斉放送が選択された場合にドアホン子器から伝送される映像を表示手段に表示させることを特徴とする。
【発明の効果】
【００１１】
請求項１の発明によれば、ドアホン子器との通話中に一斉放送が開始された場合にドアホン子器との通話を継続するか若しくは一斉放送の受信に切り換えるかを居住者が選択できる。
【００１２】
請求項２の発明によれば、一斉放送の受信中にドアホン子器からの呼出があった場合に一斉放送の受信を継続するか若しくはドアホン子器との通話に切り換えるかを居住者が選択できる。
【００１３】
請求項３の発明によれば、ドアホン子器との通話中に一斉放送が開始された場合、若しくは一斉放送の受信中にドアホン子器からの呼出があった場合、居住者によって通話／一斉放送選択手段で通話が選択されると住戸機の制御手段が一斉放送の音声を録音手段に録音させるので、ドアホン子器との通話が終了した後で録音手段に録音した一斉放送を再生して確認できる。
【００１４】
請求項４の発明によれば、ドアホン子器との通話中に一斉放送が開始された場合、若しくは一斉放送の受信中にドアホン子器からの呼出があった場合、居住者によって通話／一斉放送選択手段で通話が選択されると住戸機の制御手段が一斉放送の音声を伝送線を介して音響装置に伝送するので、ドアホン子器と通話しながら音響装置によって一斉放送を聞くことができる。
【００１５】
請求項５の発明によれば、ドアホン子器との通話中に一斉放送が開始された場合、若しくは一斉放送の受信中にドアホン子器からの呼出があった場合、居住者によって通話／一斉放送選択手段で一斉放送が選択されると住戸機の制御手段が報知音生成手段で生成した報知音を子器接続線を介してドアホン子器に伝送するので、ドアホン子器で通話していた来訪者に一斉放送を受信するために通話が中断されたことを知らせることができる。
【００１６】
請求項６の発明によれば、ドアホン子器との通話中に一斉放送が開始された場合、若しくは一斉放送の受信中にドアホン子器からの呼出があった場合、居住者によって通話／一斉放送選択手段で一斉放送が選択されると住戸機の制御手段がドアホン子器から伝送される映像を表示手段に表示させるので、一斉放送の受信中に来訪者の様子を映像で確認することができる。
【発明を実施するための最良の形態】
【００１７】
以下、図面を参照して本発明の実施形態を詳細に説明する。
【００１８】
（実施形態１）
本実施形態のシステム構成例を図１に示す。本実施形態では、集合住宅の共用玄関に設置される共用部装置（ロビーインターホン）１と、各住戸にそれぞれ設置される複数台の住戸機２とを備え、ロビーインターホン１と住戸機２とが伝送線路を介して接続されている。伝送線路は、ロビーインターホン１に接続される幹線Ｌ１と、各住戸機２にそれぞれ接続される分岐線Ｌ２とを含み、さらに幹線Ｌ１を複数系統（図示せず）に分配するための幹線制御装置３が設けられている。この伝送線路としては、３対以上のペア線をシース内に備える多対ツイストペアケーブルを用いており、図示例ではロビーインターホン１と住戸機２との間で音声信号を伝送する通話線Ｌａと、ロビーインターホン１が具備するテレビカメラ（図示せず）で撮像された映像信号を伝送する映像線Ｌｂと、ロビーインターホン１が有する選択手段（後述する）により選択された住戸機２を指定する制御信号を伝送する制御線Ｌｃとにそれぞれペア線を用いている。つまり、図示例の伝送線路では３対のペア線を用いている。ここで、映像線Ｌｂを介して伝送される映像信号はロビーインターホン１において周波数変調され、後述するように各住戸機２に設けた映像処理部１２で周波数復調されてモニタ部１３に表示される。
【００１９】
図示は省略するが、ロビーインターホン１は音声を入出力するマイクロホン及びスピーカと、来訪者を撮像するテレビカメラと、住戸番号を指定するための番号キーと呼出釦を有する選択手段とを備え、来訪者が番号キーを操作して訪問先の住戸番号を選択した後に呼出釦を操作すると住戸番号に対応する住戸機２を選択したことになる。ここで、ロビーインターホン１には通話線Ｌａ及び制御線Ｌｃを介して一斉放送装置（警報監視盤）５が接続されており、ロビーインターホン１で選択された住戸番号が制御線Ｌｃを介して警報監視盤５に伝送されると、警報監視盤５が当該住戸番号に対応する住戸機２に対して制御線Ｌｃを介して制御信号（呼出コマンド）を送出する。
【００２０】
一方、住戸機２は、音声を入出力するマイクロホン２１及びスピーカ２２を備え、マイクロホン２１とスピーカ２２とはそれぞれ増幅器２３ａ，２３ｂを介して通話処理部２４に接続されている。また、通話処理部２４には受話側並びに送話側の各伝送経路と２線の通話線Ｌａとを２線４線変換する２線４線変換部２５が増幅器２６ａ，２６ｂを介して接続されている。通話処理部２４は、通話線Ｌａを介して伝送されてくる音声信号（受話信号）とマイクロホン２１から出力される音声信号（送話信号）のレベルを比較することで通話状態（受話状態又は送話状態）を推定し、受話状態と推定したときには送話信号の伝送経路に損失を挿入し、送話状態と推定したときには受話信号の伝送経路に損失を挿入することで受話モードと送話モードを切り換える音声スイッチや、マイクロホン２１とスピーカ２２の音響結合によって生じる音響エコーを消去するためのエコーキャンセラなどを具備する。但し、このような音声スイッチやエコーキャンセラは従来周知であるから詳細な構成及び動作の図示並びに説明は省略する。したがって、ロビーインターホン１と住戸機２との間で通話線Ｌａを通して音声信号を授受することができ、来訪者がロビーインターホン１を用いるとともに居住者が住戸機２を用いることによって、来訪者と居住者との間で音声通話が可能となる。
【００２１】
また住戸機２には、分岐線Ｌ２の通話線Ｌａと映像線Ｌｂをそれぞれ通話信号（受話信号及び送話信号）の伝送経路（以下、「通話路」と呼ぶ。）と映像信号の伝送経路（以下、「映像路」と呼ぶ。）に分離する幹線インタフェース部１４が設けられている。映像路は映像処理部１２に接続され、通話路は通話／一斉放送切換部１５に接続されている。通話／一斉放送切換部１５は、幹線インタフェース部１４に接続された通話路を、通話路切換部１６に接続する状態と、後述する音量補正部３０に接続する状態とを択一的に切り換えるものである。また通話路切換部１６は、２線４線変換部２５に接続された通話路を、通話／一斉放送切換部１５に接続する状態と、後述する子器インタフェース部１８に接続する状態と、同一住戸内に設置された別の住戸機（図示せず）に接続する状態とを択一的に切り換えるものである。
【００２２】
通話路切換部１６に接続された子器インタフェース部１８には子器接続線Ｌ３を介してドアホン子器６が接続される。ドアホン子器６は集合住宅の各住戸の玄関先に配置されるものであってマイクロホン及びスピーカを備える。したがって、通話路切換部１６が２線４線変換部２５に接続された通話路を子器インタフェース部１８に接続する状態に切り換えられているときにドアホン子器６と住戸機２との間での通話が可能になっている。また、ドアホン子器６にはテレビカメラが設けられ、子器インタフェース部１８では子器接続線Ｌ３を介して伝送される音声信号と映像信号を分離し、分離した映像信号を伝送線路を介して映像処理部１２に出力してモニタ部１３に表示することができるようになっている。さらにドアホン子器６には呼出釦が設けられ、呼出釦が操作されたときに子器接続線Ｌ３に呼出信号が送出する機能を有し、住戸機２では呼出信号を検出したときに報知音生成部２７で生成された呼出音がスピーカ２２から送出されるようになっている。なお、ドアホン子器６の動作電源（直流電源）は２線式の子器接続線Ｌ３を介して住戸機２から供給するようになっており、ドアホン子器６では子器接続線Ｌ３の線間電圧を変化することで呼出信号を送出する。
【００２３】
住戸機２において、モニタ部１３には液晶表示器あるいはＣＲＴが用いられる。映像線Ｌｂを通して住戸機２に入力される映像信号は、幹線インタフェース部１４で平衡−不平衡変換され、さらに増幅器で増幅された後に映像処理部１２において周波数復調される。また、子器接続線Ｌ３を通して住戸機２に入力される映像信号も、子器インタフェース部１８で平衡−不平衡変換され、さらに増幅器で増幅された後に映像処理部１２において周波数復調される。そして、映像処理部１２から出力された映像信号は、モニタ部１３に入力されることによってモニタ部１３の画面に映像を表示する。つまり、ロビーインターホン１やドアホン子器６のテレビカメラにおいて撮像された来訪者の映像が住戸機２のモニタ部１３に表示されるから、住戸内の居住者が来訪者を確認することができるのである。
【００２４】
また報知音生成部２７は、ロビーインターホン１やドアホン子器６からの呼出等を報知するための報知音を生成し、生成した報知音を増幅器２８ａを介してスピーカ５に出力するとともに当該報知音をバックトーンとして分岐線Ｌ２又は子器接続線Ｌ３にも出力する。すなわち、報知音生成部２７には増幅器２８ｂを介してバックトーン送出路切換部１７が接続されており、このバックトーン送出路切換部１７がバックトーンの送出先を分岐線Ｌ２と子器接続線Ｌ３とに択一的に切り換えるようになっている。
【００２５】
住戸機２には、ＣＰＵを主構成要素とし内部回路を制御する主制御部１０が設けられ、主制御部１０には制御線Ｌｃとのインタフェースとなる制御信号送受信回路１１と、通話釦（図示せず）などを有する操作部１９とが接続される。制御信号送受信回路１１は、主制御部１０から出力された制御信号を制御線Ｌｃに送出し、制御線Ｌｃから受信した制御信号を主制御部１０に引き渡す機能を有する。操作部１９は通話釦などが押操作されたことを示す操作信号を主制御部１０に送出する機能を有する。
【００２６】
ところで、分岐線Ｌ２は分岐器７を介して幹線Ｌ１から分岐され、幹線制御装置３においては各系統の幹線Ｌ１を直結している。したがって、ロビーインターホン１から送出された制御信号は制御線Ｌｃに接続されるすべての住戸機２に伝送される。ここに、住戸機２の主制御部１０には個別にアドレス（たとえば、住戸番号）が設定されており、ロビーインターホン１においてアドレスを選択することによって、アドレスを指定する制御信号（呼出コマンド）が警報監視盤５から制御線Ｌｃを介して全ての住戸機２に伝送することが可能になっている。住戸機２の主制御部１０は、制御信号に含まれるアドレスが自己のアドレスであれば映像処理部１２やモニタ部１３を起動してロビーインターホン１のカメラにおいて撮像された来訪者の映像を住戸機２のモニタ部１３に表示させるとともに、報知音生成部２７に生成させた報知音（呼出音）をスピーカ２２から送出させる。そして、呼出音に応じて居住者が住戸機２の通話釦を押操作すると操作部１９から主制御部１０に操作信号が送出され、主制御部１０が通話／一斉放送切換部１５を制御して幹線インタフェース部１４に接続された通話路を通話路切換部１６に接続する状態に切り換えさせるとともに通話路切換部１６を制御して２線４線変換部２５に接続された通話路を通話／一斉放送切換部１５に接続する状態に切り換えさせてロビーインターホン１との間に通信路を確立することにより、ロビーインターホン１と選択された住戸機２との間でのみ通話可能にすることができるとともに、選択された住戸機２でのみカメラで撮像された来訪者をモニタ部１３に表示することが可能になる。尚、ロビーインターホン１において選択された住戸機２がロビーインターホン１との間で通信路を確立している状態は、ロビーインターホン１または住戸機２において適宜の操作釦を用いた通話終了が検出されると終了する。
【００２７】
また、ドアホン子器６の呼出釦が押操作されて子器接続線Ｌ３に呼出信号が送出されると、呼出信号を検出した住戸機２の主制御部１０が映像処理部１２やモニタ部１３を起動してドアホン子器６のテレビカメラにおいて撮像された来訪者の映像を住戸機２のモニタ部１３に表示させるとともに、報知音生成部２７に生成させた報知音（呼出音）をスピーカ２２から送出させる。そして、呼出音に応じて居住者が住戸機２の通話釦を押操作すると操作部１９から操作信号が送出され、主制御部１０が通話／一斉放送切換部１５を制御して幹線インタフェース部１４に接続された通話路を通話路切換部１６に接続する状態に切り換えさせるとともに通話路切換部１６を制御して２線４線変換部２５に接続された通話路を子器インタフェース部１８に接続する状態に切り換えさせてドアホン子器６との間に通信路を確立することにより、ドアホン子器６と住戸機２との間で通話可能にすることができるとともテレビカメラで撮像された来訪者をモニタ部１３に表示することが可能になる。
【００２８】
一方、警報監視盤５は集合住宅の管理人室などに設置され、通話線Ｌａを介して各住戸機２との間で通話並びに一斉放送を行う機能や、制御線Ｌｃを介して各住戸機２に一斉放送の開始及び終了を指示する機能などを有している。例えば、警報監視盤５から全ての住戸機２に対して一斉放送を行う場合、警報監視盤５から一斉放送の開始を指示する制御信号（一斉放送開始コマンド）が制御線Ｌｃを介して各住戸機２に送信され、この制御信号を受信した各住戸機２では、一斉放送開始コマンドに応じて主制御部１０が通話／一斉放送切換部１５を制御して幹線インタフェース部１４に接続された通話路を音量補正部３０に接続する状態に切り換えさせて警報監視盤５との間に通信路が確立され、警報監視盤５から送出される一斉放送の音声信号（以下、「一斉放送用音声信号」と呼ぶ。）が通話線Ｌａを介して各住戸機２に伝送される。そして、各住戸機２においては音量補正部３０で一斉放送用音声信号の音量が自動的に補正され、音量補正された一斉放送用音声信号がスピーカ２２から送出される。
【００２９】
本実施形態における警報監視盤５は、ＣＰＵを主構成要素とする制御部５０と、制御部５０と制御線Ｌｃとのインタフェースとなる制御信号送受信部５１と、通話用のハンドセット（送受話器）５２と、送話信号及び受話信号を増幅する増幅器５３ａ，５３ｂと、受話側並びに送話側の各伝送経路と２線の通話線Ｌａとを２線４線変換する２線４線変換部５４と、制御部５０からの指示に応じて後述するトレーニング信号を送信するトレーニング信号送信部５５と、２線４線変換部５４の送話側の伝送線路をハンドセット５２に接続する状態とトレーニング信号送信部５５に接続する状態とに択一的に切り換える音声／トレーニング信号切換部５６と、音声／トレーニング信号切換部５６を２線４線変換部５４を介して通話線Ｌａに接続する状態と２線４線変換部５４を介さずに増幅器５８を介して通話線Ｌａに接続する状態とに択一的に切り換える通話／一斉放送切換部５７と、ロビーインターホン１に接続された通話線Ｌａと幹線制御装置３に接続された通話線Ｌａとの間に挿入された開閉スイッチ部５９と、住戸番号を指定するための番号キーや呼出釦並びに一斉放送の音量を設定するための音量設定スイッチを有する操作部６０とを備えている。そして、管理人が操作部６０の番号キーを操作して何れかの住戸番号を選択した後に呼出釦を操作することで住戸番号に対応する住戸機２を選択すれば、選択した住戸機２との間に通信路が形成されてハンドセット５２により当該住戸機２との間でのみ通話を行うことができる。また、かかる通話時には、制御部５０によって音声／トレーニング信号切換部５６が２線４線変換部５４の送話側の伝送線路をハンドセット５２に接続する状態に切り換えられるとともに通話／一斉放送切換部５７が音声／トレーニング信号切換部５６を２線４線変換部５４を介して通話線Ｌａに接続する状態に切り換えられ、且つ開閉スイッチ部５９が開成されてロビーインターホン１が幹線Ｌ１から切り離される。
【００３０】
トレーニング信号送信部５５は、ホワイトノイズ（白色雑音）のように広帯域にわたりスペクトルが一様に分布する特性を有するトレーニング信号を生成して出力するものであって、音声／トレーニング信号切換部５６から通話／一斉放送切換部５７を経て増幅器５８で増幅された後に通話線Ｌａを介して各住戸機２に伝送される。
【００３１】
図２（ａ）は音量補正部３０の具体構成を示すブロック図である。本実施形態における音量補正部３０は、通話線Ｌａを介して受信したトレーニング信号に基づいて警報監視盤５から住戸機２に至るまでの通話線Ｌａの伝送ロスを推定する伝送ロス推定手段と、一斉放送用音声信号に対して伝送ロス推定手段で推定した伝送ロスによる損失を補償する伝送ロス補償手段とを備える。伝送ロス補償手段は一斉放送用音声信号を増幅する増幅器３９からなり、伝送ロス推定手段は、入力信号（トレーニング信号）X(n)の信号パワー（瞬時パワー）を推定するパワー推定部４０と、パワー推定部４０で推定されたトレーニング信号の信号パワーＰｓに基づいて増幅器３９の増幅度Ｇを算出する増幅度算出部４１とからなる。パワー推定部４０は、図２（ｂ）に示すように入力信号X(n)の絶対値の時間平均値（絶対平均値）ＰX(n)を求める絶対平均値算出部４０１と、絶対平均値算出部４０１で算出される時系列の絶対平均値ＰX(n)を平滑化する絶対平均値平滑部４０２とで構成される。
【００３２】
絶対平均値算出部４０１は、所定のサンプリング時間でサンプリングされた入力信号X(n)を周波数弁別するバンドパスフィルタ４０１ａと、周波数弁別後の入力信号X(n)の絶対値を求める絶対値算出部４０１ｂと、入力信号X(n)の絶対値を所定の時間フレーム（サンプリング数Ｍ）で除する除算部４０１ｃと、サンプリング数Ｍで除算された入力信号X(n)の絶対値の総和を求める総和算出部４０１dとからなり、結局のところ、絶対平均値算出部４０１では下記の式（１）の演算を行っている。
【００３３】
【数１】
2006304222.tif 000003
【００３４】
また絶対平均値平滑部４０２は、正の定数α（＜１）を絶対平均値Ｐx(n)に乗算する乗算器４０２ａと、遅延シフトレジスタ４０２ｂと、遅延シフトレジスタ４０２ｂで遅延させた瞬時パワー推定値Ｐｓ(n-1)に正の定数（１−α）を乗算する乗算器４０２ｃと、２つの乗算器４０２ａ，４０２ｃの出力を加算する加算器４０２dとからなり、結局のところ、絶対平均値平滑部４０２では下記の式（２）の演算を行っている。
【００３５】
【数２】
2006304222.tif 000004
【００３６】
また、増幅度算出部４１では、予め設定した信号パワーの基準値Ｐｒをパワー推定部４０で推定された信号パワーの推定値Ｐｓで除算することによって増幅度Ｇ（＝Ｐｒ／Ｐｓ）を算出し、算出した増幅度Ｇを増幅器３９に設定する。
【００３７】
次に、本実施形態において警報監視盤５より複数台の住戸機２に対して一斉放送を行う際の警報監視盤５並びに各住戸機２の動作を図３のフローチャートを参照しながら説明する。まず、一斉放送の開始に当たって管理人が警報監視盤５の操作部６０に設けられた一斉放送開始釦（図示せず）を押操作すると（ステップＳ１１）、警報監視盤５では、制御部５０が一斉放送の開始を指示する制御信号（一斉放送開始コマンド）を制御信号送受信部５１から制御線Ｌｃを介して各住戸機２に対して伝送し、さらに、制御信号の送信完了から所定時間が経過したら、音声／トレーニング信号切換部５６を制御してトレーニング信号送信部５５を通話／一斉放送切換部５７に接続する状態に切り換えるとともに通話／一斉放送切換部５７を２線４線変換部５４を介さずに通話線Ｌａに接続する状態に切り換えた後、トレーニング信号送信部５５からトレーニング信号を送信させる（ステップＳ１２）。
【００３８】
警報監視盤５から送信された制御信号は、一斉放送の対象である全ての住戸機２で受信される。制御信号を受信した住戸機２では、主制御部１０が一斉放送開始コマンドに応じて一斉放送開始のための準備を行う。すなわち、主制御部１０は、通話／一斉放送切換部１５を制御して幹線インタフェース部１４に接続された通話路を音量補正部３０に接続する状態に切り換えさせてトレーニング信号の受信可能状態とするとともに音量補正部３０を動作させ（ステップＳ２１）、警報監視盤５から通話線Ｌａを介して伝送されるトレーニング信号を受信すれば伝送ロスの推定処理を開始する。音量補正部３０では、主制御部１０から動作開始の指示を受けるとパワー推定部４０が入力信号X(n)の信号パワーの推定を行い、推定値Ｐｓ(n)が所定の閾値を超えたときにトレーニング信号を受信したと判断し（ステップＳ２２）、トレーニング信号の受信時点から所定時間経過後の推定値Ｐｓ(n)をトレーニング信号の信号パワーＰｓとし（ステップＳ２３，Ｓ２４）、増幅度算出部４１が基準値Ｐｒを信号パワーＰｓで除算して求めた増幅度Ｇを増幅器３９に設定する（ステップＳ２５）。
【００３９】
警報監視盤５では、送信開始から所定時間経過後に制御部５０がトレーニング信号送信部５５によるトレーニング信号の送信を停止させ（ステップＳ１３）、さらに、音声／トレーニング信号切換部５６を制御してハンドセット５２を通話／一斉放送切換部５７に接続する状態に切り換える。そして、管理人がハンドセット５２を使って一斉放送を行えば（ステップＳ１４）、ハンドセット５２から出力される一斉放送用音声信号が音声／トレーニング信号切換部５６から通話／一斉放送切換部５７を経て通話線Ｌａに送出される。そして、警報監視盤５から通話線Ｌａを介して伝送される一斉放送用音声信号は、幹線インタフェース部１４から通話／一斉放送切換部１５を介して音量補正部３０に入力され、増幅器３９で増幅することによって音量が補正されるため、スピーカ２２からは適切な音量で一斉放送の音声が出力される（ステップＳ２６）。
【００４０】
そして、一斉放送を終了するためにハンドセット５２がオンフックされると（ステップＳ１５）、警報監視盤５の制御部５０は、一斉放送の終了を指示する制御信号（一斉放送終了コマンド）を制御信号送受信部５１から制御線Ｌｃを介して各住戸機２に対して伝送した後、開閉スイッチ部５９を閉成して待機状態に戻る。また、制御信号を受信した住戸機２では、主制御部１０が音量補正部３０の動作を停止させるとともに、通話／一斉放送切換部１５を制御して幹線インタフェース部１４に接続された通話路を通話路切換手段１６に接続する状態に切り換えさせて待機状態に戻る。
【００４１】
ところで、上述した動作説明は住戸機２が待機状態（ドアホン子器６や住戸内の他の住戸機と通話していない状態）の場合であるが、住戸機２がドアホン子器６又は住戸内の他の住戸機と通話しているとき（通話中）に一斉放送が開始された場合の動作を図４のフローチャートを参照して説明する。
【００４２】
一斉放送の開始に当たって管理人が警報監視盤５の操作部６０に設けられた一斉放送開始釦（図示せず）を押操作すると（ステップＳ１１）、警報監視盤５では、制御部５０が一斉放送の開始を指示する制御信号（一斉放送開始コマンド）を制御信号送受信部５１から制御線Ｌｃを介して各住戸機２に対して伝送し、さらに、制御信号の送信完了から所定時間が経過したら、音声／トレーニング信号切換部５６を制御してトレーニング信号送信部５５を通話／一斉放送切換部５７に接続する状態に切り換えるとともに通話／一斉放送切換部５７を２線４線変換部５４を介さずに通話線Ｌａに接続する状態に切り換えた後、トレーニング信号送信部５５からトレーニング信号を送信させる。
【００４３】
警報監視盤５から送信された制御信号は、一斉放送の対象である全ての住戸機２で受信される。制御信号を受信した住戸機２のうちでドアホン子器６等と通話中である住戸機２では、主制御部１０は、映像処理部１２を制御して一斉放送が開始されたことを示す文字（例えば、「放送」などの文字）をモニタ部１３に表示させ（ステップＳ３０）、同時に報知音生成部２７で生成した報知音（チャイム音）を通話音声に重畳してスピーカ２２から送出させる（ステップＳ３１）ことによって、通話中の居住者に一斉放送が開始されたことを知らせる。さらに主制御部１０は、通話／一斉放送切換部１５を制御して幹線インタフェース部１４に接続された通話路を音量補正部３０に接続する状態に切り換えさせてトレーニング信号の受信可能状態とするとともに音量補正部３０を動作させ（ステップＳ３２）、警報監視盤５から通話線Ｌａを介して伝送されるトレーニング信号を受信すれば一斉放送の音量を補正する処理（音量補正処理）を開始する。すなわち、音量補正部３０は、主制御部１０から動作開始の指示を受けるとパワー推定部４０が入力信号X(n)の信号パワーの推定を行い、推定値Ｐｓ(n)が所定の閾値を超えたときにトレーニング信号を受信したと判断し、トレーニング信号の受信時点から所定時間経過後の推定値Ｐｓ(n)をトレーニング信号の信号パワーＰｓとし、増幅度算出部４１が基準値Ｐｒを信号パワーＰｓで除算して求めた増幅度Ｇを増幅器３９に設定して音量補正処理を終了する。
【００４４】
ところで、モニタ部１３に表示された文字やスピーカ２２から送出されるチャイム音によって一斉放送が開始されたことを知った居住者は、そのままドアホン子器６等との通話を継続する場合には何らの操作も行う必要はなく、ドアホン子器６等との通話を中止して一斉放送を受信する場合にだけ操作部１９の通話釦を押操作すればよい。住戸機２の主制御部１０はドアホン子器６等との通話状態を継続したまま操作部１９から通話釦の押操作に伴う操作信号が送出されるか否かを監視し（ステップＳ３３）、操作信号が送出されたら、ドアホン子器６等との通話を終了する処理、すなわち、通話路切換部１６を２線４線変換部２５に接続された通話路と通話／一斉放送切換部１５とを接続する状態に切り換えるとともに通話処理部２４を停止させる（ステップＳ３４）。
【００４５】
警報監視盤５では、送信開始から所定時間経過後に制御部５０がトレーニング信号送信部５５によるトレーニング信号の送信を停止させた後、音声／トレーニング信号切換部５６を制御してハンドセット５２を通話／一斉放送切換部５７に接続する状態に切り換える。そして、管理人がハンドセット５２を使って一斉放送を行えば（ステップＳ１２）、ハンドセット５２から出力される一斉放送用音声信号が音声／トレーニング信号切換部５６から通話／一斉放送切換部５７を経て通話線Ｌａに送出される。そして、警報監視盤５から通話線Ｌａを介して伝送される一斉放送用音声信号は、幹線インタフェース部１４から通話／一斉放送切換部１５を介して音量補正部３０に入力され、増幅器３９で増幅することによって音量が補正されるため、スピーカ２２からは適切な音量で一斉放送の音声が送出される（ステップＳ３５）。
【００４６】
そして、一斉放送を終了するためにハンドセット５２がオンフックされると（ステップＳ１３）、警報監視盤５の制御部５０は、一斉放送の終了を指示する制御信号（一斉放送終了コマンド）を制御信号送受信部５１から制御線Ｌｃを介して各住戸機２に対して伝送した後、開閉スイッチ部５９を閉成して待機状態に戻る。また、制御信号を受信した住戸機２では、主制御部１０が音量補正部３０の動作を停止させるとともに、音量補正部３０で補正された一斉放送用音声信号を増幅している増幅器２９ａの増幅度を徐々に減少させた後に通話／一斉放送切換部１５を制御して幹線インタフェース部１４に接続された通話路を通話路切換部１６に接続する状態に切り換えさせて待機状態に戻る。
【００４７】
次に、住戸機２が一斉放送を受信しているときにドアホン子器６から呼び出された場合の動作を図５のフローチャートを参照して説明する。
【００４８】
音量補正部３０で音量補正した一斉放送の音声がスピーカ２２から送出されているとき（ステップＳ３５）に来訪者が呼出釦を押操作する（ステップＳ５０）ことでドアホン子器６から子器接続線Ｌ３へ呼出信号が送出された場合、住戸機２の主制御部１０では、主制御部１０が呼出信号を検出すると（ステップＳ３６）、映像処理部１２を制御してドアホン子器６から呼び出されたことを示す文字（例えば、「玄関」などの文字）をモニタ部１３に表示させ（ステップＳ３７）、報知音生成部２７で生成した呼出音を一斉放送の音声に重畳してスピーカ２２から送出させる（ステップＳ３８）ことによって、一斉放送を聞いている居住者にドアホン子器６から呼び出されたことを知らせる。なお、報知音生成部２７で生成された呼出音はバックトーン送出路切換部１７から子器接続線Ｌ３を介してドアホン子器６に送出される。
【００４９】
ところで、モニタ部１３に表示された文字やスピーカ２２から送出される呼出音によってドアホン子器６から呼び出されたことを知った居住者は、そのまま一斉放送を聞く場合には何らの操作も行う必要はなく、一斉放送の受信を中止してドアホン子器６との通話を行う場合にだけ操作部１９の通話釦を押操作すればよい。住戸機２の主制御部１０は一斉放送の受信状態を継続したまま操作部１９から通話釦の押操作に伴う操作信号が送出されるか否かを監視し（ステップＳ３９）、操作信号が送出されたら、通話路切換部１６を制御して２線４線変換部２５に接続された通話路を子器インタフェース部１８に接続する状態に切り換えてドアホン子器６との間に通信路を形成し（ステップＳ４０）、さらに子器接続線Ｌ３を介して直流電源を供給することでドアホン子器６を起動するとともに音量補正部３０を停止させる。その結果、ドアホン子器６と住戸機２との間で子器接続線Ｌ３を介して通話することができる。
【００５０】
上述のように本実施形態では、ドアホン子器６との通話中に一斉放送が開始された場合にドアホン子器６との通話を継続するか若しくは一斉放送の受信に切り換えるかを居住者が選択できるとともに、一斉放送の受信中にドアホン子器６からの呼出があった場合に一斉放送の受信を継続するか若しくはドアホン子器６との通話に切り換えるかを居住者が選択できる。
【００５１】
（実施形態２）
図６は本実施形態における住戸機２のブロック図である。但し、本実施形態の基本構成は実施形態１と共通であるから、共通の構成要素には同一の符号を付して適宜図示並びに説明を省略する。
【００５２】
本実施形態の住戸機２は、音量補正部３０で音量補正された後の一斉放送用音声信号をＡＤＰＣＭ（Adaptive Differential Pulse Code Moudulation）やＭＰ３（MPEG Audio Layer-3）などの周知の圧縮方法によって圧縮及び伸長する音声圧縮伸長部３１と、書換可能な不揮発性メモリ（フラッシュメモリなど）からなり音声圧縮伸長部３１で圧縮された一斉放送用音声信号のデータ（以下、「一斉放送音声データ」と呼ぶ。）を蓄積する音声蓄積部３２とを備えている。すなわち、通話線Ｌａを介して伝送される一斉放送用音声信号を図示しないＡ／Ｄ変換器でディジタル信号に変換した後に音声圧縮伸長部３１で圧縮し、圧縮した一斉放送音声データを音声蓄積部３２に書き込んで蓄積（録音）するのである。また音声蓄積部３２に蓄積した一斉放送音声データを再生するには、音声圧縮伸長部３１が音声蓄積部３２に蓄積されている一斉放送音声データを読み出して伸長した後、図示しないＤ／Ａ変換器でアナログ信号（一斉放送用音声信号）に変換してスピーカ２２から一斉放送の音声を送出するのである。つまり、本実施形態では音声圧縮伸長部３１が録音手段及び再生手段に相当する。
【００５３】
住戸機２の主制御部１０は、実施形態１で説明したようにドアホン子器６との通話中に一斉放送が開始された場合、若しくは一斉放送の受信中にドアホン子器６からの呼出があった場合において、居住者が一斉放送の受信を選択せずにドアホン子器６との通話を選択したときに一斉放送用音声信号を圧縮して音声蓄積部３２に蓄積する処理（以下、この処理を「録音」と呼ぶ。）を音声圧縮伸長部３１に行わせる。但し、録音中は一斉放送用音声信号がスピーカ２２へ送出されないように音量補正部３０からスピーカ２２への信号経路が主制御部１０によって遮断される。そして、ドアホン子器６との通話終了後に居住者が操作部１９に設けた再生釦（図示せず）を押操作すると、主制御部１０が音声圧縮伸長部３１に対して音声蓄積部３２から一斉放送音声データを読み出して伸長した一斉放送用音声信号をスピーカ２２へ送出する処理（以下、この処理を「再生」と呼ぶ。）を行わせる。従って、居住者はドアホン子器６との通話中に行われた一斉放送を住戸機２で録音しておき、ドアホン子器６との通話が終了した後に録音した一斉放送を住戸機２で再生して確認することができる。なお、本実施形態ではドアホン子器６との通話の場合について説明したが、住戸内の他の住戸機との通話の場合についても同様である。
【００５４】
（実施形態３）
本実施形態は、図７に示すように住戸機２の音量補正部３０で補正された後の一斉放送用音声信号をスピーカ２２だけでなく住戸内に設置された音響装置にも送出する点に特徴がある。但し、本実施形態の基本構成は実施形態１と共通であるから、共通の構成要素には同一の符号を付して適宜図示並びに説明を省略する。
【００５５】
本実施形態においては、分岐線Ｌ２に接続された住戸機２（以下、「親機」と呼ぶ。）が設置された場所と異なる場所に設置された他の住戸機（以下、「副親機」と呼ぶ。）２’と、住戸において親機２及び副親機２’が設置された場所と異なる場所に設置された増設スピーカＳＰとを音響装置として利用する。
【００５６】
親機２は、音量補正部３０の出力端とスピーカ２２に接続された増幅器２９ａとの間に挿入されるスイッチＳＷ１と、音量補正部３０の出力端と増設スピーカＳＰに接続された増幅器３３ａとの間に挿入されるスイッチＳＷ２と、音量補正部３０の出力端と副親機２’の通話／一斉放送切換部３５’とを接続する伝送線Ｌ４と、伝送線Ｌ４に接続された増幅器３３ｂと音量補正部３０の出力端との間に挿入されるスイッチＳＷ３とを備えている。
【００５７】
副親機２’は基本的な構成が親機２と共通であって、図８に示すようにマイクロホン２１’及びスピーカ２２’、通話処理部２４’、報知音生成部２７’、主制御部１０’、映像処理部１２’、モニタ部１３’、２線４線変換部２５’の他に、内線用の通話線Ｌａ’を介して親機２の通話路切換部１６と２線４線変換部２５’との間で開閉自在に通話路を形成する通話路開閉部３４’と、スピーカ２２’を通話処理部２４’に接続する状態と伝送線Ｌ４に接続する状態とに択一的に切り換える通話／一斉放送切換部３５’とを備えている。但し、親機２と共通の機能を有する構成要素には同一の番号と「’」を付して説明を省略する。
【００５８】
ここで親機２の主制御部１０は、実施形態１で説明したようにドアホン子器６との通話中に一斉放送が開始された場合、若しくは一斉放送の受信中にドアホン子器６からの呼出があった場合において、居住者が一斉放送の受信を選択せずにドアホン子器６との通話を選択したときにスイッチＳＷ１をオフしてスピーカ２２への一斉放送用音声信号の送出を遮断するとともに、スイッチＳＷ２，ＳＷ３の少なくとも何れか一方をオンする。スイッチＳＷ２がオンすれば一斉放送用音声信号が増幅器３３ａで増幅された後に増設スピーカＳＰから送出される。またスイッチＳＷ３をオンしたとき、親機２の主制御部１０は図示しない内線用の制御線を介して一斉放送の受信を指示する制御信号を副親機２’に伝送する。この制御信号を受信した副親機２’の主制御部１０’は、通話／一斉放送切換部３５’を制御してスピーカ２２’を伝送線Ｌ４に接続する状態に切り換えさせる。その結果、親機２の音量補正部３０の出力端と副親機２’のスピーカ２２’との間に伝送線Ｌ４を介した通信路が確立されて副親機２’のスピーカ２２’から一斉放送用音声信号が送出される。従って、増設スピーカＳＰ及び副親機２’のスピーカ２２’の少なくとも何れか一方を通してドアホン子器６との通話中に行われる一斉放送を確認することができる。
【００５９】
（実施形態４）
図９は本実施形態における住戸機２のブロック図である。但し、本実施形態の基本構成は実施形態１と共通であるから、共通の構成要素には同一の符号を付して適宜図示並びに説明を省略する。
【００６０】
本実施形態の住戸機２は、一斉放送の受信中であることを報知するための報知音（音声メッセージやメロディ音など）をＡＤＰＣＭ（Adaptive Differential Pulse Code Moudulation）やＭＰ３（MPEG Audio Layer-3）などの周知の圧縮方法で圧縮された音声データとして蓄積（記憶）する音声蓄積部３６と、音声蓄積部３６に蓄積された音声データを読み出して伸長するとともに伸長した音声データを報知音生成部２７に出力する音声伸長部３７とを備えている。すなわち、音声蓄積部３６に蓄積された音声データを音声伸長部３７で伸長して報知音生成部２７へ出力すれば、報知音生成部２７で振幅調整などの処理が行われた後にバックトーン送出路切換部１７から子器接続線Ｌ３を介してドアホン子器６に送出され、ドアホン子器６のスピーカから報知音が聞こえることになる。
【００６１】
住戸機２の主制御部１０は、実施形態１で説明したようにドアホン子器６との通話中に一斉放送が開始された場合、若しくは一斉放送の受信中にドアホン子器６からの呼出があった場合において、居住者がドアホン子器６との通話を選択せずに一斉放送の受信を選択したとき、通話路切換部１６を制御して２線４線変換部２５に接続された通話路を通話／一斉放送切換部１５に接続する状態に切り換えてドアホン子器６との間の通信路を解消し、通話／一斉放送切換部１５を制御して幹線インタフェース部１４に接続された通話路を音量補正部３０に接続する状態に切り換えさせるとともに、音声蓄積部３６に蓄積された報知音（音声メッセージ又はメロディ音など）を読み出して伸長する処理を音声伸長部３７に行わせる。さらに主制御部１０は、バックトーン送出路切換部１７を制御して音声伸長部３７で伸長され且つ報知音生成部２７で処理された後の報知音を子器インタフェース部１８から子器接続線Ｌ３を介してドアホン子器６に送出するとともに、子器接続線Ｌ３を介して直流電源を供給することでドアホン子器６を起動し、ドアホン子器６のテレビカメラで撮像された映像を映像処理部１２を介してモニタ部１３に表示させる。
【００６２】
而して本実施形態によれば、ドアホン子器６との通話中に一斉放送が開始された場合、若しくは一斉放送の受信中にドアホン子器６からの呼出があった場合、居住者によって一斉放送の受信が選択されると住戸機２の主制御部１０が音声伸長部３７に伸長させた報知音を子器接続線Ｌ３を介してドアホン子器６に伝送するので、ドアホン子器６で通話していた来訪者に一斉放送を受信するために通話が中断されたことを知らせることができ、また、住戸機２の主制御部１０がドアホン子器６から伝送される映像をモニタ部１３に表示させるので、一斉放送の受信中に居住者が来訪者の様子を映像で確認することができる。
【図面の簡単な説明】
【００６３】
【図１】本発明の実施形態１を示すシステム構成図である。
【図２】（ａ）は同上における音量補正部のブロック図、（ｂ）はパワー推定部のブロック図である。
【図３】同上の一斉放送時の動作を説明するためのフローチャートである。
【図４】同上においてドアホン子器との通話中に一斉放送が行われた場合の動作を説明するためのフローチャートである。
【図５】同上において一斉放送の受信中にドアホン子器から呼び出された場合の動作を説明するためのフローチャートである。
【図６】本発明の実施形態２における住戸機を示すブロック図である。
【図７】本発明の実施形態３における住戸機（親機）を示すブロック図である。
【図８】同上における他の住戸機（副親機）を示すブロック図である。
【図９】本発明の実施形態４における住戸機を示すブロック図である。
【符号の説明】
【００６４】
２  住戸機
５  警報監視盤
６  ドアホン子器
１９  操作部
３０  音量補正部
【図１】
2006304222.tif 000005
【図２】
2006304222.tif 000006
【図３】
2006304222.tif 000007
【図４】
2006304222.tif 000008
【図５】
2006304222.tif 000009
【図６】
2006304222.tif 000010
【図７】
2006304222.tif 000011
【図８】
2006304222.tif 000012
【図９】
2006304222.tif 000013